(57)【特許請求の範囲】
【請求項１】
窓孔を中空位置に保持する基台を設け、該基台には前記窓孔を大きく開きうるように基台の各角部に向かって延びる切込線と、隣接する切込線の外側に向かう端部間を結び基台の外周に沿う折り込み線とが形成されており、上記窓孔を緊張状態で覆って上記被保持物品を保持するフィルムが前記切込線および折り込み線の外側で基台に固着されてなる物品保持具において、
上記切込線の外側に向かう端部を中心に左右に延びて切込線の延出方向に対して交差する方向に切り込まれると共に、基台の上壁面の中途位置で前記折り込み線と連続して繋がる切込保護線が形成されており、
該切込保護線が、前記窓孔に対して外側に向かって開く円弧形状、または外側に向かって開くＬ状に穿設されてなることを特徴とする物品保持具。
【請求項２】
窓孔を中空位置に保持する基台を設け、該基台には前記窓孔を大きく開きうるように基台の各角部に向かって延びる切込線と、隣接する切込線の外側に向かう端部間を結び基台の外周に沿う折り込み線とが形成されており、上記窓孔を緊張状態で覆って上記被保持物品を保持するフィルムが前記切込線および折り込み線の外側で基台に固着されてなる物品保持具において、
上記切込線の外側に向かう端部を中心に左右に延びて切込線の延出方向に対して交差する方向に切り込まれると共に前記折り込み線と連続して繋がる切込保護線が穿設されており、
該切込保護線が、前記窓孔に対して外側に向かって開く円弧形状または外側に向かって開くＬ状に穿設されると共に、該切込保護線の端部が基台の上壁面の縁部まで延びており、前記基台の上壁面の縁部を折り込み線としてなることを特徴とする物品保持具。
【請求項３】
物品保持具が一対に設けられて、被保持物品をそれぞれのフィルムで上下または左右に対向して挟圧し、該挟圧姿勢を拘束する拘束手段により上記被保持物品を中空位置に保持してなることを特徴とする請求項１または２に記載のいずれかの物品保持構造。
【請求項４】
物品保持具が被保持物品の一方側に設けられ、これと対向する被保持物品の他方側には該被保持物品と衝合する衝合部材が設けられており、上記基台のフィルムで被保持物品を一方側で衝合部材に向けて押圧し、該押圧姿勢を拘束する拘束手段により上記被保持物品を一方側で中空位置に保持してなることを特徴とする請求項１、２または３に記載のいずれのか物品保持構造。
【発明の詳細な説明】
【０００１】
【産業上の利用分野】
本発明は、フィルムで覆われた窓孔を中空位置に保持する基台を用いて、被保持物品を保持して包装する物品保持具の改良に関する。
【０００２】
【従来の技術】
従来、窓孔を中空位置に保持する基台と、該基台に外周縁が固着され上記窓孔を緊張状態で覆って被保持物品を押圧するフィルムとからなる物品保持具の構造は知られている。
この従来構成では、緊張したフィルムを被保持物品が押圧して反発可能に変形させ、フィルムはその反発力で被保持物品を保持している。
そして、本出願人は、特許第２９３５６６４号として、第１窓孔を有する第１基台と、該第１窓孔を覆って第１基台表面に固着された可撓性を有する第１フィルムと、上記第１窓孔に対応する第２窓孔を有する第２基台と、該第２窓孔を覆って第２基台表面に固着された可撓性を有する第２フィルムとからなって、第１基台と第２基台とを対向して保持し、第１フィルムと第２フィルムとの間に物品を保持してなる物品保持構造において、上記対向した状態の第１基台と第２基台とを物品を保持した状態で拘束する箱を設けてなり、前記第１窓孔または第２窓孔には前記窓孔が物品より小さい場合に窓孔を大きく開きうるように切込線とその外周に折り込み線が形成されており、上記窓孔を覆う第１フィルムまたは第２フィルムは前記切込線および折り込み線の外側で第１基台表面または第２基台表面に固着してなる物品保持具を提案しており、相応の成果を挙げているが、基台の強度を高める構成が要望されていた。
【０００３】
【発明が解決しようとする課題】
この発明は上記問題点を解決するために創案されたものであって、その主たる課題は、切込線を有する物品保持具の場合に、前記切込線と交差する切込保護線を設けて基台の強度を向上させて信頼性の高い物品保持具を提供することにある。
【０００４】
【課題を解決するための手段】
本発明は上記課題を解決するため、請求項１の物品保持具の発明では、
窓孔を中空位置に保持する基台を設け、該基台には前記窓孔を大きく開きうるように基台の各角部に向かって延びる切込線と、隣接する切込線の外側に向かう端部間を結び基台の外周に沿う折り込み線とが形成されており、上記窓孔を緊張状態で覆って上記被保持物品を保持するフィルムが前記切込線および折り込み線の外側で基台に固着されてなる物品保持具において、
上記切込線の外側に向かう端部を中心に左右に延びて切込線の延出方向に対して交差する方向に切り込まれると共に、基台の上壁面の中途位置で前記折り込み線と連続して繋がる切込保護線が形成されており、
該切込保護線が、前記窓孔に対して外側に向かって開く円弧形状、または外側に向かって開くＬ状に穿設されてなることを特徴とする。
また、請求項２の発明では、
窓孔を中空位置に保持する基台を設け、該基台には前記窓孔を大きく開きうるように基台の各角部に向かって延びる切込線と、隣接する切込線の外側に向かう端部間を結び基台の外周に沿う折り込み線とが形成されており、上記窓孔を緊張状態で覆って上記被保持物品を保持するフィルムが前記切込線および折り込み線の外側で基台に固着されてなる物品保持具において、
上記切込線の外側に向かう端部を中心に左右に延びて切込線の延出方向に対して交差する方向に切り込まれると共に前記折り込み線と連続して繋がる切込保護線が穿設されており、
該切込保護線が、前記窓孔に対して外側に向かって開く円弧形状または外側に向かって開くＬ状に穿設されると共に、該切込保護線の端部が基台の上壁面の縁部まで延びており、前記基台の上壁面の縁部を折り込み線としてなることを特徴とする。
請求項３の発明では、
前記物品保持具が一対に設けられて、被保持物品をそれぞれのフィルムで上下または左右に対向して挟圧し、該挟圧姿勢を拘束する拘束手段により上記被保持物品を中空位置に保持してなることを特徴とする。
更に、請求項４の発明では、
物品保持具が被保持物品の一方側に設けられ、これと対向する被保持物品の他方側には該被保持物品と衝合する衝合部材が設けられており、上記基台のフィルムで被保持物品を一方側で衝合部材に向けて押圧し、該押圧姿勢を拘束する拘束手段により上記被保持物品を一方側で中空位置に保持してなることを特徴とする。
【０００５】
【発明の実施の形態】
以下に、本発明の物品保持具の好適実施例について図面を参照して説明する。
図１に示す物品保持具１は、ボックス状の基台２の上壁面３に窓孔１０を形成しており、基台２の上壁面３の表面（裏面でもよい）には窓孔１０を覆う弾性および可撓性を有するプラスチック製のフィルム１５が張設されている。
【０００６】
即ち、基台２は、扁平な矩形の上壁面３とその４辺の外周に沿って垂下し上壁面３を中空状に保持する周壁４を有し、底面側が開口する箱型からなっている。
この基台２の上壁面３の中央に窓孔１０が設けられる。
【０００７】
窓孔１０の外側の上壁面３には切込線５が窓孔１０の対角線に沿って角部（四隅）に向かって中途位置まで穿設されている。
この切込線５の外側に向かう端部５ａに、該切込線５の延出方向に対して交差する方向に切り込まれた切込保護線６が形成されている。
【０００８】
この切込保護線６は、本実施例の場合、切込線５の端部５ａを中心に左右に延びており、切込線５の端部５ａ間を結ぶと共に外周に沿って形成される折り込み線７と連続するように繋がっている。
【０００９】
上記切込線５は隣接する切込線５との間で折り込み線７によって折り曲げ可能な可動片８が形成され、被包装物品Ｇが窓孔１０の大きさより大きい場合に可動片８が折り込み線７に沿って折り曲げられて窓孔１０のエリアを広げ被包装物品Ｇを収納しうるようになっている。
【００１０】
ここで、切込保護線６は図示例の場合に内側に開く円弧形状に切り込まれているが、切込線５と直交する斜めの直線状（図７参照）、あるいは内側（窓孔側）に向かって広がるＬ状（図８参照）に切り込まれた形状などもある。
しかし、この発明では、逆向きの（外側に向かって開く）円弧形状（図５および図６参照）や、同様に逆向きに開くＬ状（図９参照）に切り込まれた形状からなっている。
【００１１】
切込線５に沿って折れ曲がった片により切込線の延長方向である角部に向かってかかろうとする荷重は、切込保護線によりその延長方向にかかることはなく、向きを変えて折り込み線方向に分散させることができる。
そのため、基台２の角部の強度を損なわず、基台２の安定性と信頼性を向上させることができる。
【００１２】
次ぎに、この物品保持具で用いるフィルムは、従来のように可撓性および弾性を有する扁平なプラスチックシートであってもよいが、図４に示す実施例では、弾性を有さず可撓性のみを有するフィルム１５’を用いている。
このフィルム１５’には、予め被保持物品Ｇを掛止めるための受部１６が形成されている。
【００１３】
該受部１６は、図示例では凹状からなっており、被保持物品Ｇの一側を収納する。
ここで受部１６の形状は、被保持物品Ｇの形状に対応させて適宜凹凸形状や凹部の底部に更に凹部を設けるなど、所望の形状に予め成型しておくことができる。
あるいは図示しないが、受部を別体の硬質プラスチックで成形しておき、該受部を前記フィルム１５または１５’の中央に一体に嵌め込んで使用してもよい。
【００１４】
次に、この物品保持具１を用いた物品保持構造について説明する。
図２や図３で示すように、物品保持具１が上下一対に設けられて、被保持物品Ｇがそれぞれの弾性を有するフィルム１５で引っ張られて挟圧され（図２参照）、あるいは可撓性を有するフィルム１５’で形成された受け部１６で上下に挟圧され（図３参照）ており、それぞれの挟圧姿勢を拘束する拘束手段として上記一対の物品保持部１、１を隙間無く収納する外箱２０を用い、該外箱２０により上記被保持物品Ｇを中空位置に保持するようになっている。
【００１５】
図３では、上壁面３を向かい合わせた物品保持具１、１を隙間無く接触させて被保持物品Ｇを挟持させた例を示したが、図２に示したように物品保持具１、１相互が密着せずに適宜スペースを介して離間した状態で外箱２０に収納されるものでもよく、いずれの構成でも使用することができる。
【００１６】
また、図４では、１つの物品保持具１を被包装物品Ｇの一方側に設けている。
そして、これと対向する被包装物品Ｇの他方側には該被包装物品Ｇと衝合する衝合部材２５が設けられている。
【００１７】
この衝合部材２５は、段ボールや発泡スチロール、あるいはゴムなどの緩衝材からなっており、例えば被保持物品Ｇを他方側を掛止める凹部２６を形成しておけば、被保持物品Ｇの他方側が位置決めしやすく好ましい。
【００１８】
そして、上記物品保持具１のフィルム１５で被保持物品Ｇの一方側から前記衝合部材２５に向けて押圧し、該押圧姿勢を、拘束手段として一例を示す外箱２０により拘束して、上記被保持物品Ｇを一方側で中空位置に保持して収納することができる。
【００１９】
上記実施例で切込保護線６は、切込線５の左右に延びているが、図１０に示すように切込栓５の端部５ａから左右のいずれか一方だけに延びる構成でもよい。
この場合、他方は折り曲げ線７が直接に切込線５の端部５ａまで延びる。
その他の構成は前記実施例と同様である。
【００２０】
次に、この発明の切込保護線６は、図１１で示すように、基台１の上壁面３の角部で上記切込線５と繋がり、端部が上壁面３の縁部まで延びている構成でもよい。
従って、上壁面３には前記角部に角部保護片部９のみが残るように形成してもよく、可動片８が上壁面３の縁部を折り込み線７として折り曲げ自在に形成されるものでもよい。
この場合の切込保護線６は、本実施例の他には、角部に角部保護片部９が形状可能なように角部に対して突出するような形状、例えば図５や図９などのような形状であることが好ましい。
【００２１】
上記実施例では、物品保持具１の基台２は一体に形成された箱型からなるが、この発明で基台の成形方法は問わない。
展開された段ボールを折り曲げて、基台を成形するものであると、上壁面だけを別に形成しておき、基台本体に接着したり、掛止あるいは固着するなどしてもよい。
【００２２】
また、物品保持構造における拘束手段に外箱を用いたが、バンドや紐で拘束してもよい。
あるいは一対の物品保持部の一側を一体に繋げてヒンジ部とし、他側には掛止片とこれを受ける受孔を設けるなど公知の拘束手段を用いることができる。
その他、要するにこの発明の要旨を変更しない範囲で種々設計変更しうること勿論である。
【００２３】
【発明の効果】
以上のように本発明の物品保持具によれば、切込線を設けているので窓孔よりも大きい被保持物品を窓孔を広げることで保持することができると共に、切込線の延長方向である基台角部にかかる荷重を分散して基台の強度を損なうことがない。
また、切込線を有する物品保持部でありながら簡単な構造で基台の強度を高めて、信頼性のある物品保持具を提供することができるので、極めて有益である。
【図面の簡単な説明】
【図１】  物品保持具の応用例についての斜視図である。
【図２】  物品保持具を用いた物品保持構造を示す断面図である。
【図３】  受部を有するフィルムを用いた物品保持具の物品保持構造を示す断面図である。
【図４】  異なる物品保持構造を示す断面図である。
【図５】  切込保護線の実施例を示す部分平面図である。
【図６】  図５の切込保護線を用いた物品保持具の斜視図である。
【図７】  切込保護線の別の応用例を示す部分平面図である。
【図８】  切込保護線の更に別の応用例を示す部分平面図である。
【図９】  切込保護線の異なる実施例を示す部分平面図である。
【図１０】  切込保護線を片側のみに設けた応用例を示す部分平面図である。
【図１１】  切込保護線により角部保護片部を設けた異なる実施例を示す部分平面図である。
【符号の説明】
１    物品保持具
２    基台
３    上壁面
４    周壁
５    切込線
５ａ  切込線の端部
６    切込保護線
７    折り込み線
８    可動片
９    角部保護片部
１０    窓孔
１５    フィルム
１６    受部
２０    外箱
Ｇ    被保持物品
【図１】
0003718461.tif 000002
【図２】
0003718461.tif 000003
【図３】
0003718461.tif 000004
【図４】
0003718461.tif 000005
【図５】
0003718461.tif 000006
【図６】
0003718461.tif 000007
【図７】
0003718461.tif 000008
【図８】
0003718461.tif 000009
【図９】
0003718461.tif 000010
【図１０】
0003718461.tif 000011
【図１１】
0003718461.tif 000012